(57)【要約】【課題】携帯機器を安心して充電できるとともに、携帯機器の使用コストが削減され、廃棄物を出さず環境負荷も低減する。【解決手段】本発明の携帯機器充電用台１は、二次電池４が収納される第一室２と、二次電池４から携帯機器に電力を伝達するコード５が収納される第二室３とを備え、第一室２は、平坦な上面を有する上板６により覆われ、上板６の下方に二次電池４が収納され、第二室３は、上部が開口する凹形状を有し、第一室２とは仕切り板７により仕切られて一体的に構成される。【選択図】図１
2014011862.tif 000002
【特許請求の範囲】
【請求項１】
二次電池が収納される第一室と、前記二次電池から携帯機器に電力を伝達するコードが収納される第二室と、を備え、
前記第一室は、平坦な上面を有する上板により覆われ、前記上板の下方に前記二次電池が収納され、
前記第二室は、上部が開口する凹形状を有し、前記第一室とは仕切り板により仕切られて一体的に構成される携帯機器充電用台。
【請求項２】
前記第一室は前記上板の法線方向から見る平面視で略長方形を有し、前記第二室は前記略長方形の長辺と短辺に前記仕切り板を介してＬ字状に設置される請求項１に記載の携帯機器充電用台。
【請求項３】
前記第二室は、前記携帯機器と前記コードとの間に接続されるコネクタを収納するためのコネクタ収納部を備え、
前記コネクタ収納部は、上部が開口する凹形状を有し、前記コネクタを収納したときに前記コネクタが前記上板の上面の高さよりも下方に収納される請求項１又は２に記載の携帯機器充電用台。
【請求項４】
前記コネクタ収納部は、前記コネクタを支持するコネクタ支持部を備える請求項３に記載の携帯機器充電用台。
【請求項５】
前記コネクタは、嵌合形状の異なる複数の携帯機器に接続可能な複数の接続部を備える請求項３又は４に記載の携帯機器充電用台。
【請求項６】
前記第一及び第二室は、前後左右を側板により囲まれており、
前記側板には前記二次電池に受電するための受電コネクタが設置される請求項１〜５のいずれか一項に記載の携帯機器充電用台。
【請求項７】
前記受電コネクタは、後方の前記側板に設置されるマグネットコネクタからなる請求項６に記載の携帯機器充電用台。
【請求項８】
前記側板には取っ手が設置される請求項６又は７に記載の携帯機器充電用台。
【請求項９】
前記取っ手は、前方の前記側板に設置される請求項８に記載の携帯機器充電用台。
【請求項１０】
前記上板には充電状態を表示する第一表示部が設置される請求項１〜９のいずれか一項に記載の携帯機器充電用台。
【請求項１１】
前記上板の上面には滑り止め用のシートが貼り付けられる請求項１〜１０のいずれか一項に記載の携帯機器充電用台。
【請求項１２】
外部電力を入力し二次電池充電用の電力を出力する電源部を備える電源スタンドと、
前記電源スタンドの上部に設置され、請求項１〜１１のいずれか一項に記載の携帯機器充電用台を収納する収納ケースと、を備える収納棚。
【請求項１３】
前記収納ケースは、複数の前記携帯機器充電用台を収納する請求項１２に記載の収納棚。
【請求項１４】
前記電源スタンドは、後方上面に二次電池充電用の電力を給電する第一給電コネクタを備え、
前記収納ケースは、後方底面に二次電池充電用の電力を受電する第一受電コネクタと、後方側面の内側に二次電池充電用の電力を給電する第二給電コネクタと、後方上面に二次電池充電用の電力を給電する第三給電コネクタと、を備える請求項１２又は１３に記載の収納棚。
【請求項１５】
前記電源スタンドは側面に前記外部電力を受電する受電コンセントを備える請求項１２〜１４のいずれか一項に記載の収納棚。
【請求項１６】
前記収納ケースは、前方側面の上部に前記二次電池の充電状態を表示する第二表示部が設置される請求項１２〜１５のいずれか一項に記載の収納棚。
【請求項１７】
前記収納ケースは、上面に係止孔を備え、底面に係止爪を備える請求項１２〜１６のいずれか一項に記載の収納棚。
【請求項１８】
前記電源スタンドは、前方側面に前記コード又は前記コードに接続されるコネクタの出力を検査するための検査部が設置される請求項１２〜１７のいずれか一項に記載の収納棚。
【発明の詳細な説明】
【技術分野】
【０００１】
本発明は、携帯機器を充電するための充電用台及びこの充電用台を収納する収納棚に関する。
【背景技術】
【０００２】
近年、携帯電話機等の携帯機器が普及している。携帯機器は持ち運び自由で場所を選ばないで利用できる。携帯機器は二次電池を搭載し商業用電源から充電器により充電して使用する。しかし、二次電池の容量は限られており、屋外等の商業用電源が利用できない場所や、利用できても充電器を持たないために充電できず、二次電池の電池切れとなって利用できなくなる場合がある。そのような場合は、近くのコンビニュエンスストアや電気器具量販店などに立ち寄って電池内臓の充電器を購入し、携帯機器を充電して利用する。
【０００３】
また、携帯電話機等の携帯機器が普及したことに伴い、多くの人が集まるショッピングセンター等に、多数の携帯電話機に充電することの可能な充電装置が提案されている。例えば、特許文献１には多数の携帯電話機を充電できる充電装置が記載されている。この充電装置は、装置本体の筐体前面に複数のホルダが設置され、各ホルダに携帯電話機を設置して充電することができる。各ホルダには設置される携帯電話機を覆うように設けられる半円筒状の回転カバーと、回転カバーを施錠するための施錠器と、携帯電話機に接続する充電用コネクタが設置される。利用者は、充電したい携帯電話機に充電用コネクタを接続し、携帯電話機をホルダに設置する。携帯電話機の前面を覆うように回転カバーを回転させ、施錠器によりロックする。回転カバーがロックされるとホルダに設置された携帯電話機は外部から操作したり、取り出したりすることができなくなる。インジケータにより携帯電話機の充電状態を知ることができる。
【先行技術文献】
【特許文献】
【０００４】
【特許文献１】特開２００３−１４２１６３号公報
【発明の概要】
【発明が解決しようとする課題】
【０００５】
屋外で携帯機器が電池切れとなったときは、多くの場合、コンビニエンスストア等で電池内臓の充電器を購入し、すぐに充電して使用できるようにしている。しかし、携帯機器を充電すると購入した充電器は不要となり、そのまま廃棄される場合が多い。そのため、携帯機器の使用コストが高くなるとともに資源を無駄に使用し、環境負荷が大きくなってしまう。
【０００６】
また、特許文献１に記載される充電装置は、近くに商業用電源コンセントが必要である。そのため、人が集まる場所であっても設置場所が限られる。また、利用者は携帯機器を充電装置に設置して充電中に他の用事を済ませることになる。しかし、携帯機器には多くの個人情報が記憶されているので、携帯機器を手元から離すことは不安である。更に、携帯電話の場合は、着信の際に直ぐに対応することができず、利便性に欠ける。これらの理由から、この種の充電装置は利用が進まないものと考えられる。
【０００７】
そこで、本発明は上記欠点を除去し、携帯機器の使用コストを低下させて利便性に優れた携帯機器充電用台及びこれを収納する収納棚を提供することを目的とする。
【課題を解決するための手段】
【０００８】
本発明の携帯機器充電用台は、二次電池が収納される第一室と、前記二次電池から携帯機器に電力を伝達するコードが収納される第二室と、を備え、前記第一室は、平坦な上面を有する上板により覆われ、前記上板の下方に前記二次電池が収納され、前記第二室は、上部が開口する凹形状を有し、前記第一室とは仕切り板により仕切られて一体的に構成されることとした。
【０００９】
また、前記第一室は前記上板の法線方向から見る平面視で略長方形を有し、前記第二室は前記略長方形の長辺と短辺に前記仕切り板を介してＬ字状に設置されることとした。
【００１０】
また、前記第二室は、前記携帯機器と前記コードとの間に接続されるコネクタを収納するためのコネクタ収納部を備え、前記コネクタ収納部は、上部が開口する凹形状を有し、前記コネクタを収納したときに前記コネクタが前記上板の上面の高さよりも下方に収納されることとした。
【００１１】
また、前記コネクタ収納部は、前記コネクタを支持するコネクタ支持部を備えることとした。
【００１２】
また、前記コネクタは、嵌合形状の異なる複数の携帯機器に接続可能な複数の接続部を備えることとした。
【００１３】
また、前記第一及び第二室は、前後左右を側板により囲まれており、前記側板には前記二次電池に受電するための受電コネクタが設置されることとした。
【００１４】
また、前記受電コネクタは、後方の前記側板に設置されるマグネットコネクタからなることとした。
【００１５】
また、前記側板には取っ手が設置されることとした。
【００１６】
また、前記取っ手は、前方の前記側板に設置されることとした。
【００１７】
また前記上板には充電状態を表示する第一表示部が設置されることとした。
【００１８】
また、前記上板の上面には滑り止め用のシートが貼り付けられることとした。
【００１９】
本発明の収納棚は、外部電力を入力し二次電池充電用の電力を出力する電源部を備える電源スタンドと、前記電源スタンドの上部に設置され、上記いずれかに記載の携帯機器充電用台を収納する収納ケースと、を備えることとした。
【００２０】
また、前記収納ケースは、複数の前記携帯機器充電用台を収納することとした。
【００２１】
また、前記電源スタンドは、後方上面に二次電池充電用の電力を給電する第一給電コネクタを備え、前記収納ケースは、後方底面に二次電池充電用の電力を受電する第一受電コネクタと、後方側面の内側に二次電池充電用の電力を給電する第二給電コネクタと、後方上面に二次電池充電用の電力を給電する第三給電コネクタと、を備えることとした。
【００２２】
また、前記電源スタンドは側面に前記外部電力を受電する受電コンセントを備えることとした。
【００２３】
また、前記収納ケースは、前方側面の上部に前記二次電池の充電状態を表示する第二表示部が設置されることとした。
【００２４】
また、前記収納ケースは、上面に係止孔を備え、底面に係止爪を備えることとした。
【００２５】
また、前記電源スタンドは、前方側面に前記コード又は前記コードに接続されるコネクタの出力を検査するための検査部が設置されることとした。
【発明の効果】
【００２６】
本発明の携帯機器充電用台は、二次電池が収納される第一室と、二次電池から携帯機器に電力を伝達するコードが収納される第二室と、を備える。第一室は、平坦な上面を有する上板により覆われ、上板の下方に二次電池が収納され、第二室は、上部が開口する凹形状を有し、第一室とは仕切り板により仕切られて一体的に構成される。これにより、携帯機器を手元において充電することができるので、盗難や着信機会を失うことなく安心して利用できるとともに、携帯機器の使用コストを削減し、廃棄物を出さず環境負荷も低減する。
【図面の簡単な説明】
【００２７】
【図１】本発明の第一実施形態に係る携帯機器充電用台を説明するための図である。
【図２】本発明の第二実施形態に係る携帯機器充電用台を説明するための図である。
【図３】本発明の第三実施形態に係る携帯機器充電用台を説明するための図である。
【図４】本発明に係る携帯機器充電用台の上面にスマートフォンを載せて充電している状態を表す斜視図である。
【図５】本発明の第四実施形態に係る携帯機器充電用台を説明するための図である。
【図６】本発明の第五実施形態に係る収納棚の斜視図である。
【図７】本発明の第五実施形態に係る収納棚の電源スタンドの斜視図である。
【図８】本発明の第五実施形態に係る収納棚の収納ケースの斜視図である。
【図９】本発明の第六実施形態に係る収納棚の斜視図である。
【発明を実施するための形態】
【００２８】
（第一実施形態）
図１は、本発明の第一実施形態に係る携帯機器充電用台１を説明するための図であり、図１（ａ）が携帯機器充電用台１の斜視図であり、図１（ｂ）がコード５及びコネクタを除いた上面模式図であり、図１（ｃ）がコード５及びコネクタを除いた部分ＡＡの断面模式図である。
【００２９】
図１（ａ）に示すように、携帯機器充電用台１は二次電池４が収納される第一室２と、当該二次電池４から携帯機器に電力を伝達するコード５が収納される第二室３とを備える。第一室２は、平坦な上面を有する上板６により覆われ、上板６の下方に二次電池４が収納される。第二室３は、上部が開口する凹形状を有し、第一室２とは仕切り板７により仕切られて、第一室２と第二室３とは一体的に構成される。コード５の一方の端部には二次電池４から受電する第一コネクタ９ａが接続され、他方の端部には携帯機器に給電する第二コネクタ９ｂが接続される。
【００３０】
具体的に説明する。図１（ｂ）及び（ｃ）に示すように、携帯機器充電用台１は４つの角部が円弧状に丸みを帯びた扁平な略四角柱で、周囲が側板１２により囲まれている。第一室２は上板６の法線方向から見る平面視で略長方形を有し、第二室３は、第一室２の長辺と短辺に仕切り板７を介してＬ字状に設置される。第二室３は、略長方形の長辺と短辺をなす側板１２と、Ｌ字状に設置される仕切り板７により囲まれ、上部が開放する。第一室２は、略長方形の他の長辺と他の短辺をなす側板１２と仕切り板７により囲まれ、上部が上板６に覆われる。第一室２は上板６により覆われるので内部に収納される二次電池４は外部からは見えない。第二室３は上部が開放されるので、コード５の取り出しや収納が容易である。仕切り板７には第一室２に収納される二次電池４に導通する端子部２８が設置され、第一コネクタ９ａが端子部２８に装着される。携帯機器充電用台１はプラスチック材料の型成形により形成することができる。二次電池４として、例えば放電容量が２６００ｍＡｈのリチウム二次電池を使用することができる。
【００３１】
使用する際には、携帯電話機等の携帯機器を上板６の上面に設置し、コード５の一方の端部の第一コネクタ９ａを端子部２８に装着し、他方の端部の第二コネクタ９ｂを携帯機器に接続し、二次電池４の電力により携帯機器を充電する。携帯機器は上板６の上に載置されるので充電中でも操作することができる。
【００３２】
本発明の携帯機器充電用台１は商業用電源に接続する必要がないので使用場所を選ばない。また、携帯機器を手元において充電できるので盗難の心配もなく、着信の機会も逃すことなく安心して利用することができる。携帯機器への充電が終了したときは、携帯機器充電用台１を後に説明する収納ケースに収納すれば、携帯機器充電用台１の二次電池４を充電することができる。
【００３３】
なお、図１（ｃ）に示すように、本実施形態では二次電池４が底板ＢＰに設置されるが、これに代えて、二次電池４を上板６の裏面に固定し、第一室２の底板ＢＰを除去してもよい。また、上板６の上面には滑り止め用のシートを張り付けることができる。滑り止め用のシートを張り付けることにより、携帯電話等の携帯機器を上板６に載置し、操作面を操作したときに、携帯機器が携帯機器充電用台１から滑り落ちるのを防ぐことができる。
【００３４】
（第二実施形態）
図２は、本発明の第二実施形態に係る携帯機器充電用台１を説明するための図であり、図２（ａ）が携帯機器充電用台１を前方（＋ｘ方向）斜め上方から見る斜視図であり、図２（ｂ）が携帯機器充電用台１を後方（−ｘ方向）斜め上方から見る斜視図である。第一実施形態と異なる点は、前方の側板１２ａに取っ手１４が設置され、後方の側板１２ｂに受電コネクタ１３が設置され、上板６の上面に第一表示部１５が設置される点である。その他は第一実施形態と同様である。したがって、以下、主に第一実施形態と異なる部分について説明する。同一の部分又は同一の機能を有する部分には同一の符号を付している。
【００３５】
図２（ａ）に示すように、前方（＋ｘ方向）の側板１２ａには取っ手１４が設置される。取っ手１４を設置することにより、携帯機器充電用台１を収納ケースに収納したときに、携帯機器充電用台１を容易に引き出すことができる。また、上板６の後方（−ｘ方向）の右端部（＋ｙ方向）には、携帯機器に充電中であることを表示する電源表示１５ａと、充電状態を表示する充電表示１５ｂからなる第一表示部１５が設置される。充電表示１５ｂは複数のＬＥＤから構成され、表示面積の大きさによって充電状態が表示される。第一表示部１５を上板６の周辺部や角部に設けることにより、上板６の上部に携帯機器を設置した場合でも、第一表示部１５を容易に確認することができる。
【００３６】
図２（ｂ）に示すように、後方（−ｘ方向）の側板１２ｂには、二次電池４に受電するための受電コネクタ１３が設置される。受電コネクタ１３として、例えばマグネットコネクタを使用することができる。後方の側板１２ｂに二次電池４を充電するための受電用のコネクタを設けることにより、携帯機器充電用台１を収納ケースに収納したときに自動的に二次電池４の充電を行うことができる。
【００３７】
なお、前方の側板１２ａに設置する取っ手１４の大きさ、形状、位置は図に示すものに限定されない。同様に、上板６の上面に設置する第一表示部１５の大きさ、位置、形状も図に示すものに限定されない。その他の構成は、第一実施形態と同様である。
【００３８】
（第三実施形態）
図３は、本発明の第三実施形態に係る携帯機器充電用台１を説明するための図であり、図３（ａ）が携帯機器充電用台１の斜視図であり、図３（ｂ）がコード５及びコネクタを除いた上面模式図であり、図３（ｃ）がコード５及びコネクタを除いた部分ＢＢの断面模式図である。第一実施形態と異なる部分は、第二室３に第三コネクタ９ｃを収納するためのコネクタ収納部８を備える点であり、その他の構成は第一実施形態と同様である。同一の部分又は同一の機能を有する部分には同一の符号を付している。
【００３９】
図３（ａ）及び（ｂ）に示すように、携帯機器充電用台１は二次電池４が収納される第一室２と、当該二次電池４から携帯機器に電力を伝達するコード５が収納される第二室３とを備える。第一室２は、平坦な上面を有する上板６により覆われ、上板６の下方に二次電池４が収納される。第二室３は、上部が開口する凹形状を有し、第一室２とは仕切り板７により仕切られて、第一室２と第二室３とは一体的に構成される。更に、第二室３は、携帯機器とコード５との間に接続される第三コネクタ９ｃを収納するためのコネクタ収納部８を備える。コネクタ収納部８は、上部が開口する凹形状を有し、第三コネクタ９ｃが収納されたとき最上部は上板６の上面の高さよりも低くなる。
【００４０】
図３（ｂ）及び（ｃ）に示すように、コネクタ収納部８は、第三コネクタ９ｃを支持するコネクタ支持部１０を備え、上面視でＬ字状の第二室３の屈曲部近傍に形成され、第二室３から第一室２の上部に突出するように形成される。コネクタ支持部１０は、第二室３側では第二室３の底板ＢＰに立設する２本の支持棒２９と、第一室２側では上板６の上面が段差状に窪む段差部３０から構成される。２本の支持棒２９の上端の高さは段差部３０の高さと等しい。
【００４１】
第三コネクタ９ｃは、扁平な四角形の板体からなる３ｉｎ１の形態を有し、嵌合形状の異なる複数種類の携帯機器に接続可能な複数の接続部１１ａ〜１１ｃを備える。接続部１１ｄは、コード５の一方端に設置され、例えばマイクロＵＳＢ形式の第二コネクタ９ｂに嵌合して接続する。なお、支持棒２９の上端部に磁石を設置し、第三コネクタ９ｃの支持棒当接部に磁性体を用いれば、第三コネクタ９ｃをコネクタ収納部８に吸着固定させることができる。
【００４２】
このように、コネクタ収納部８は、比較的大きな形状を有する第三コネクタ９ｃであっても、収納したときにその上端が上板６の上面から突出することがない。そのため、後に説明する収納ケースにコンパクトに収納することができる。また、携帯機器充電用台１の上面に上板６の外形よりも大きな携帯端末を傾くことなく載置することができる。そのため、携帯機器を携帯機器充電用台１に載置した状態で容易に操作することができる。その他の構成は、第一実施形態又は第二実施形態と同様であり、説明を省略する。
【００４３】
図４は、本発明に係る携帯機器充電用台１の上面にスマートフォン４５を載せて充電している状態を表す斜視図である。コード５及び第三コネクタ９ｃを第二室３及びコネクタ収納部８から取り出し、第三コネクタ９ｃの第一接続部１１ａをスマートフォン４５に接続し、携帯機器充電用台１の二次電池４からスマートフォン４５の二次電池に充電する。携帯機器充電用台１は商用電源に接続する必要がないので充電場所を選ばない。上面は平坦なのでスマートフォン４５を載せたときに安定し、スマートフォン４５を容易に操作することができる。
【００４４】
（第四実施形態）
図５は、本発明の第四実施形態に係る携帯機器充電用台１を説明するための図であり、図５（ａ）がコード５及びコネクタを除いた携帯機器充電用台１の斜視図であり、図５（ｂ）がその上面模式図である。第三実施形態と異なる部分は、主にコネクタ支持部１０の設置場所と形態であり、その他の部分はほぼ第三実施形態と同様である。同一の部分又は同一の機能を有する部分には同一の符号を付している。
【００４５】
図３（ａ）及び（ｂ）に示すように、携帯機器充電用台１は二次電池４が収納される第一室２と、当該二次電池４から携帯機器に電力を伝達する図示しないコード５が収納される第二室３とを備える。第一室２は、平坦な上面を有する上板６により覆われ、上板６の下方に二次電池４が収納される。第二室３は、上部が開口する凹形状を有し、第一室２とは仕切り板７により仕切られて、第一室２と第二室３とは一体的に構成される。第一室２は、上板６の法線から見る平面視で略長方形を有し、当該長方形の長辺と短辺に仕切り板７を介してＬ字形状に設置される。第一室２及び第二室３は周囲が側板１２により囲まれている。前方の側板１２には取っ手１４が設置される。第二室３は、更に、携帯機器とコード５との間に接続される図示しない第三コネクタ９ｃを収納するためのコネクタ収納部８を備える。
【００４６】
第一室２はリチウムイオン電池からなる円形形状の二次電池４を収納する。第一室２の上部を覆う上板６は略長方形の長辺が第二室３側に食み出すように形成される。上板６の上面にはシート１６が貼り付けられており、上部に載置した携帯機器が滑り落ちない滑り止めとして機能する。仕切り板７は２つの端子部２８ａ、２８ｂを備え、第二室３は第一及び第三実施液体の場合よりも幅広に形成される。これにより、第二室３は二次電池４に電気的に接続する図示しない２本のコードを収納することができる。
【００４７】
コネクタ収納部８はＬ字形状を有する第二室３の端部に設置される。コネクタ収納部８はコネクタ支持部１０の上面に形成される凹部からなり、第一コネクタ収納部８ａと第二コネクタ収納部８ｂを備える。第一及び第二コネクタ収納部８ａ、８ｂの背面側にはそれぞれ第一及び第二マグネット３４ａ、３４ｂを備え、異なる形状の２つに第三コネクタ９ｃを吸着固定することができる。第三コネクタ９ｃが第一又は第二コネクタ収納部８ａ、８ｂに吸着固定されたときの最上部は上板６の上面の高さよりも低くなる。
【００４８】
このように、２つの端子部２８ａ、２８ｂと、第一及び第二コネクタ収納部８ａ、８ｂを設けたので、複数の携帯機器を同時に充電することができる。また、側板１２の前方に取っ手１４を設けたので後に説明する収納ケースに収納したときに携帯機器充電用台１を容易に引き出すことができる。また、上板６の上面にシート１６を設けたので、上板６に携帯機器を載置して容易に操作することができる。その他の構成は、第一実施形態又は第三実施形態と同様であり、説明を省略する。
【００４９】
なお、以上説明した本発明に係る携帯機器充電用台１の第一〜第四実施形態において、携帯機器充電用台１の左右が反転する、或いは前後が反転する構成であっても本発明に含まれることは言うまでもない。
【００５０】
（第五実施形態）
図６は、本発明の第五実施形態に係る収納棚４０の斜視図である。収納棚４０は、商用電力を二次電池充電用の電力を出力する電源スタンド１８と、電源スタンド１８の上部に設置され、第一実施形態〜第三実施形態において説明した携帯機器充電用台１を並列に２台収納する収納ケース１９とを備えている。なお、図６において電源スタンド１８の上に一段の収納ケース１９を設置しているが、本発明はこれに限定されず、収納ケース１９を多段に設置することができる。
【００５１】
図７及び図８を用いて電源スタンド１８と収納ケース１９を具体的に説明する。図７は本発明の第五実施形態に係る収納棚４０の電源スタンド１８の斜視図である。下段が前方斜め上から見る電源スタンド１８の斜視図であり、上段が後方斜め上からみる電源スタンド１８の斜視図である。電源スタンド１８は、左右（−ｙ方向と＋ｙ方向）の２枚の電源スタンド側板１８ｂと前後（＋ｘ方向と−ｘ方向）の電源スタンド前板１８ａ及び電源スタンド後板１８ｃと、上方（＋ｚ方向）の電源スタンド天板１８ｄにより囲まれる。電源スタンド１８は内部に外部から入力する電力を二次電池４の充電用電力に変換する電源部１７を収納する。
【００５２】
電源スタンド１８は、電源スタンド側板１８ｂの下方に、外部から電力を受電するための受電コンセント２３ａを備え、例えば電源コード３１を介して商業電力を受電する。また、電源スタンド後板１８ｃの下部にも外部から電力を受電するための受電コンセント２３ｂを備え、横方向からも後方向からも電源コード３１を接続することができる。電源スタンド１８は、電源スタンド天板１８ｄの後方上面に携帯機器充電用台１に収納される二次電池４を充電するための電力を給電する２つの第一給電コネクタ２０ａを備える。更に電源スタンド天板１８ｄの左右（−ｙ方向及び＋ｙ方向）の辺の近傍の表面には、電源スタンド天板１８ｄの上部に設置される収納ケース１９を固定するための係止孔２５が設置される。
【００５３】
電源スタンド前板１８ａの前面には、携帯機器充電用台１に収納されるコード５に接続される第二又は第三コネクタ９ｂ、９ｃの出力を検査するための検査部２７が設置される。検査部２７には複数の検査用コネクタ受部２７ａが設置され、第二コネクタ９ｂや第三コネクタ９ｃの各接続部が装着できる。第二又は第三コネクタ９ｂ、９ｃの使用する接続部を検査用コネクタ受部２７ａに装着することにより充電電圧の出力を確認することができる。検査用コネクタ受部２７ａに接続した接続部から所定の電圧が出力されている場合は各検査用コネクタ受部２７ａの上部に設置される検査用表示部２７ｂ、例えばＬＥＤが点灯する。これにより、充電するつもりの携帯機器が充電されなかった、という充電ミスを防止することができる。
【００５４】
電源スタンド１８は、受電コンセント２３ａ又は２３ｂから受電し電源部１７で充電用電力に変換し、第一給電コネクタ２０ａから上部に設置される収納ケース１９に給電する。
【００５５】
図８は本発明の第五実施形態に係る収納棚４０の収納ケース１９の斜視図である。下段が前方右斜め上から見る収納ケース１９の斜視図であり、上段が前方右斜め下から見る収納ケース１９の斜視図である。収納ケース１９は、左右の２枚の収納ケース側板１９ａと、その間に設置される収納ケース中板１９ｃと、後方に設置される収納ケース後板１９ｂと、上方に設置される収納ケース天板１９ｄから構成される。
【００５６】
収納ケース１９は収納ケース中板１９ｃを挟んで２台の携帯機器充電用台１が収納される。収納ケース１９は、後方底面、すなわち収納ケース後板１９ｂの下部（―ｚ方向）に二次電池４を充電するための電力を受電する２つの第一受電コネクタ２１を備える。更に、後方側面、すなわち収納ケース後板１９ｂの内側に二次電池４を充電するための電力を給電する２つの第二給電コネクタ２０ｂと、後方上面、すなわち収納ケース天板１９ｄの後方（−ｘ方向）端近傍に２つの第三給電コネクタ２０ｃとを備える。
【００５７】
収納ケース１９は、上面、すなわち収納ケース天板１９ｄの左右の辺の近傍に２つの係止孔２５を備え、左右の収納ケース側板１９ａの底面にそれぞれ係止爪２６を備える。更に、収納ケース１９の前方側面の上部（＋ｚ方向及び＋ｘ方向）、つまり収納ケース天板１９ｄの前方端面に二次電池４の充電状態を表示する２つの第二表示部２４が設置される。第二表示部２４には４つのＬＥＤからなる表示面が形成され、第二給電コネクタ２０ｂに電気的に接続される。
【００５８】
収納ケース１９の２つの係止爪２６が第一受電コネクタ２１の２つの係止孔２５に係止し、収納ケース１９の２つの第一受電コネクタ２１が電源スタンド１８の２つの第一給電コネクタ２０ａと嵌合して、収納ケース１９が電源スタンド１８の上に固定される。また、固定されると同時に、電源スタンド１８から二次電池４を充電する電力が第二給電コネクタ２０ｂに供給される。
【００５９】
電源スタンド１８の上に収納ケース１９を設置することにより、左右の収納ケース側板１９ａと収納ケース中板１９ｃの間に２台の携帯機器充電用台１を収納する棚が形成される。各携帯機器充電用台１を収納ケース後板１９ｂに当接するまで押し込むことにより、携帯機器充電用台１の受電コネクタ１３（図２を参照）と第二給電コネクタ２０ｂとが接続し、電源スタンド１８から携帯機器充電用台１に充電用電力が供給される。また、第二表示部２４と携帯機器充電用台１とが電気的に接続し、第二表示部２４に携帯機器充電用台１の充電状態が表示される。
【００６０】
（第六実施形態）
図９は、本発明の第六実施形態に係る収納棚４０の斜視図である。図９に示すように、電源スタンド１８の上に収納ケース１９が５段積層されている。従って、携帯機器充電用台１を１０台同時に充電することができる。最上段の収納ケース１９の係止孔２５や第三給電コネクタ２０ｃはキャップ３２により塞がれている。
【００６１】
本発明に係る収納棚４０を飲食店、喫茶店、ホテルの客室、あるいは他の多数の人が集まる場所に設置し、各収納ケース１９に携帯機器充電用台１を設置して充電する。利用者は、収納棚４０の収納ケース１９から携帯機器充電用台１を抜き出して、飲食などの他の用事をしながら携帯電話や携帯機器を手軽に充電することができる。特に、携帯機器充電用台１は商業電力に接続する必要がない。携帯機器充電用台１で充電する際に携帯電話等は手元にあるので、盗難や着信の機会を失うことなく安心して利用することができる。食堂や喫茶店に設置しておけば、携帯機器の電池切れの場合でも飲食中に手軽に充電することができ、充電器を購入する必要がなく、しかも廃棄物を出さないので環境負荷も低減する。
【符号の説明】
【００６２】
１  携帯機器充電用台
２  第一室
３  第二室
４  二次電池
５  コード
６  上板
７  仕切り板
８  コネクタ収納部
９ａ  第一コネクタ、９ｂ  第二コネクタ、９ｃ  第三コネクタ
１０  コネクタ支持部
１１ａ  第一接続部、１１ｂ  第二接続部、１１ｃ  第三接続部、１１ｄ  第四接続部
１２  側板、１２ａ  前方の側板、１２ｂ  前方の側板
１３  受電コネクタ
１４  取っ手
１５  第一表示部、１５ａ  電源表示、１５ｂ  充電表示
１７  電源部
１８  電源スタンド、１８ａ  電源スタンド前板、１８ｂ  電源スタンド側板、１８ｃ  電源スタンド後板、１８ｄ  電源スタンド天板
１９  収納ケース、１９ａ  収納ケース側板、１９ｂ  収納ケース後板、１９ｃ  収納ケース中板、１９ｄ  収納ケース天板
２０ａ  第一給電コネクタ、２０ｂ  第二給電コネクタ、２０ｃ  第三給電コネクタ
２１  第一受電コネクタ
２３ａ、２３ｂ  受電コンセント
２４  第二表示部
２５  係止孔
２６  係止爪
２７  検査部、２７ａ  検査用コネクタ受部、２７ｂ  検査用表示部
２８  端子部
２９  支持棒
３０  段差部
３１  電源コード
３２  キャップ
４０  収納棚
【図１】
2014011862.tif 000003
【図２】
2014011862.tif 000004
【図３】
2014011862.tif 000005
【図４】
2014011862.tif 000006
【図５】
2014011862.tif 000007
【図６】
2014011862.tif 000008
【図７】
2014011862.tif 000009
【図８】
2014011862.tif 000010
【図９】
2014011862.tif 000011